【手続補正書】
【提出日】令和3年11月8日(2021.11.8)
【手続補正１】
【補正対象書類名】特許請求の範囲
【補正対象項目名】請求項５
【補正方法】変更
【補正の内容】
【請求項５】
第一の基準は、異常な目封止部を有する第２セルであって外周側壁に隣接する第２セルを識別するための予め設定された透過光の強度に関する第一の基準、及び、前記測定結果に基づいて決定される透過光の強度に関する第一の基準の両方を有し、
第二の基準は、異常な目封止部を有する第２セルであって外周側壁に隣接しない第２セルを識別するための予め設定された透過光の強度に関する第二の基準、及び、前記測定結果に基づいて決定される透過光の強度に関する第二の基準の両方を有する、
請求項４に記載の検査装置。
【手続補正２】
【補正対象書類名】明細書
【補正対象項目名】００１１
【補正方法】変更
【補正の内容】
【００１１】
［１］
柱状ハニカム構造体の検査方法であって、
柱状ハニカム構造体は、外周側壁と、外周側壁の内周側に配置され、第一底面から第二底面まで延び、第一底面が開口して第二底面に目封止部を有する複数の第１セルと、外周側壁の内周側に配置され、第一底面から第二底面まで延び、第一底面に目封止部を有し、第二底面が開口する複数の第２セルとを備え、複数の第１セルと複数の第２セルは隔壁を挟んで交互に隣接配置されており、
第二底面に対して第一の光を照射し、第１セル及び第２セルの各目封止部の配置に応じた第二底面からの反射光のパターンをカメラで撮像し、反射光のパターンの画像データを生成する工程と、
生成された反射光のパターンの画像データに基づいて外周側壁に隣接する第２セル及び外周側壁に隣接しない第２セルのそれぞれの位置情報を区別して記憶装置に格納する工程と、
第一底面に対して第二の光を照射し、第１セル及び第２セルの各目封止部の配置に応じた第二底面からの透過光のパターンをカメラで撮像し、透過光のパターンの画像データを生成する工程と、
生成された透過光のパターンの画像データ及び記憶装置に格納されている前記位置情報に基づいて、外周側壁に隣接する第２セルからのそれぞれの透過光の強度を測定し、異常な目封止部を有する外周側壁に隣接する第２セルを識別するための予め設定された又は当該測定結果に基づいて決定される透過光の強度に関する少なくとも一つの第一の基準と当該透過光の強度を比較することにより、異常な目封止部を有する外周側壁に隣接する第２セルを検出する工程と、
生成された透過光のパターンの画像データ及び記憶装置に格納されている前記位置情報に基づいて、外周側壁に隣接しない第２セルからのそれぞれの透過光の強度を測定し、異常な目封止部を有する外周側壁に隣接しない第２セルを識別するための予め設定された又は当該測定結果に基づいて決定される透過光の強度に関する少なくとも一つの第二の基準と比較することにより、異常な目封止部を有する外周側壁に隣接しない第２セルを検出する工程と、
を含む検査方法。
［２］
第一の基準は、異常な目封止部を有する第２セルであって外周側壁に隣接する第２セルを識別するための予め設定された透過光の強度に関する第一の基準、及び、前記測定結果に基づいて決定される透過光の強度に関する第一の基準の両方を有し、
第二の基準は、異常な目封止部を有する第２セルであって外周側壁に隣接しない第２セルを識別するための予め設定された透過光の強度に関する第二の基準、及び、前記測定結果に基づいて決定される透過光の強度に関する第二の基準の両方を有する、
［１］に記載の検査方法。
［３］
第一の光及び第二の光を異なる波長の光として、前記反射光のパターン及び前記透過光のパターンを同時にカメラで撮像する［１］又は［２］に記載の検査方法。
［４］
柱状ハニカム構造体の検査装置であって、
柱状ハニカム構造体は、外周側壁と、外周側壁の内周側に配置され、第一底面から第二底面まで延び、第一底面が開口して第二底面に目封止部を有する複数の第１セルと、外周側壁の内周側に配置され、第一底面から第二底面まで延び、第一底面に目封止部を有し、第二底面が開口する複数の第２セルとを備え、複数の第１セルと複数の第２セルは隔壁を挟んで交互に隣接配置されており、
第二底面に対して第一の光を照射するための光照射器と、
第一底面に対して第二の光を照射するための光照射器と、
第二底面からの反射光のパターン及び透過光のパターンを撮像するためのカメラと、
カメラによって撮像された反射光のパターンの画像データ及び透過光のパターンの画像データを生成することができ、
生成された反射光のパターンの画像データに基づいて外周側壁に隣接する第２セル及び外周側壁に隣接しない第２セルのそれぞれの位置情報を区別して記憶装置に格納することができ、
生成された透過光のパターンの画像データ及び記憶装置に格納されている前記位置情報に基づいて、外周側壁に隣接する第２セルからのそれぞれの透過光の強度を測定し、異常な目封止部を有する外周側壁に隣接する第２セルを識別するための予め設定された又は当該測定結果に基づいて決定される透過光の強度に関する少なくとも一つの第一の基準と当該透過光の強度を比較することにより、異常な目封止部を有する外周側壁に隣接する第２セルを検出することができ、且つ、
生成された透過光のパターンの画像データ及び記憶装置に格納されている前記位置情報に基づいて、外周側壁に隣接しない第２セルからのそれぞれの透過光の強度を測定し、異常な目封止部を有する外周側壁に隣接しない第２セルを識別するための予め設定された又は当該測定結果に基づいて決定される透過光の強度に関する少なくとも一つの第二の基準と比較することにより、異常な目封止部を有する外周側壁に隣接しない第２セルを検出することができる、
コンピュータと、
を備えた検査装置。
［５］
第一の基準は、異常な目封止部を有する第２セルであって外周側壁に隣接する第２セルを識別するための予め設定された透過光の強度に関する第一の基準、及び、前記測定結果に基づいて決定される透過光の強度に関する第一の基準の両方を有し、
第二の基準は、異常な目封止部を有する第２セルであって外周側壁に隣接しない第２セルを識別するための予め設定された透過光の強度に関する第二の基準、及び、前記測定結果に基づいて決定される透過光の強度に関する第二の基準の両方を有する、
［４］に記載の検査装置。
［６］
第一の光を照射するための光照射器は、第二の光を照射するための光照射器と異なる波長の光を照射可能である［４］又は［５］に記載の検査装置。
【手続補正３】
【補正対象書類名】明細書
【補正対象項目名】００１５
【補正方法】変更
【補正の内容】
【００１５】
（１．柱状ハニカム構造体）
図２及び図３には、ウォールフロー型の自動車用排ガスフィルタ及び／又は触媒担体として適用可能な柱状ハニカム構造体（１００）の模式的な斜視図及び断面図がそれぞれ例示されている。この柱状ハニカム構造体（１００）は、外周側壁（１０２）の内周側に配置され、第一底面（１０４）から第二底面（１０６）まで延び、第一底面（１０４）が開口して第二底面（１０６）に目封止部（１０９）を有する複数の第１セル（１０８）と、外周側壁（１０２）の内周側に配置され、第一底面（１０４）から第二底面（１０６）まで延び、第一底面（１０４）に目封止部（１０９）を有し、第二底面（１０６）が開口する複数の第２セル（１１０）とを備える。この柱状ハニカム構造体（１００）においては、第１セル（１０８）及び第２セル（１１０）が隔壁（１１２）を挟んで交互に隣接配置されている。
【手続補正４】
【補正対象書類名】明細書
【補正対象項目名】００４３
【補正方法】変更
【補正の内容】
【００４３】
コンピュータ（３００）は、生成された透過光のパターンの画像データ及び記憶装置（３０２）に格納されている各第２セルの前記位置情報に基づいて、外周側壁（１０２）に隣接する第２セル（１１０ａ）からのそれぞれの透過光の強度を測定し、異常な目封止部（１０９）を有する第２セルであって外周側壁（１０２）に隣接する第２セル（１１０ａ）を識別するための予め設定された又は当該測定結果に基づいて決定される透過光の強度に関する少なくとも一つの第一の基準と当該透過光の強度を比較することにより、異常な目封止部（１０９）を有する第２セルであって外周側壁（１０２）に隣接する第２セル（１１０ａ）を検出する。
【手続補正５】
【補正対象書類名】明細書
【補正対象項目名】００５６
【補正方法】変更
【補正の内容】
【００５６】
第二の検査モードは、異常な目封止部を有する第２セルが多い場合に高い精度で異常な目封止部をもつ第２セルを検出できるという点で有利である。しかしながら、正常な目封止部を有する柱状ハニカム構造体に対して同一条件で第二の光を照射したとしても製品同士で透過光の強度にはばらつきが生じる可能性がある。工業的に製造される柱状ハニカム構造体には寸法誤差が存在するところ、直角度が変化することにより透過光の強度にはばらつきが生じ得る。このため、第二の検査モードで設定される目封止部の有無を判別するための基準も万能ではない。